(57)【要約】【課題】上下に２分割して使用することができ、使い勝手が良く外観意匠性の良い組立棚を提供する。【解決手段】上部ラックＡ１と下部ラックＡ２は、組み立てて一体のウッドラックＡとして使用することができると共に、それぞれそのまま独立の棚として使用でき、その際、その天面の高さが略同一となる。上部ラックＡ１と下部ラックＡ２は、それぞれ一対の上部側面フレーム１と一対の下部側面フレーム２の間に棚板３やハンガーバー４等を横架して形成される。上部側面フレーム１の下端の横フレーム材１ｂには埋め込みナット７が埋め込まれ、下部側面フレーム２の上端の横フレーム材２ｂには埋め込みナット７に対応する位置に接合孔９が形成されている。連結ボルト８を接合孔９に挿通してその先端を埋め込みナット７に螺入して締め上げ固定することにより、上部ラックＡ１と下部ラックＡ２が着脱可能に接合される。【選択図】図２
0003128281.tif 000002
【実用新案登録請求の範囲】
【請求項１】
一対の側面フレームと、該一対の側面フレームの間に横架される複数の棚板と、を備えた組立棚であって、
前記一対の側面フレームは、それぞれ上部側面フレームと下部側面フレームとを上下に着脱可能に接合して形成され、
前記上部側面フレームと前記下部側面フレームは、略平行に配設された一対の縦フレーム材と、該一対の縦フレーム材を所定間隔で接合する横フレーム材と、をそれぞれ有し、
前記上部側面フレームは、その下端側に配設された前記横フレーム材の下側面の所定位置に埋め込みナットが取り付けられ、
前記下部側面フレームは、その上端側に配設された前記横フレーム材の前記埋め込みナットに対応する位置に、上下に貫通するボルト孔が形成され、
前記上部側面フレームと前記下部側面フレームは、前記ボルト孔と前記埋め込みナットにボルトを螺合可能として、上下に接合可能に形成されたことを特徴とする組立棚。
【請求項２】
上部棚と下部棚とを備え、
前記下部棚の上に前記上部棚を積層して固定することにより一体の棚として使用可能に構成されると共に、前記下部棚と前記上部棚を分離することによりそれぞれそのまま独立の棚として使用可能に構成され、
前記上部棚は一対の前記上部側面フレームの間に前記棚板が横架されて形成されると共に、前記下部棚は一対の前記下部側面フレームの間に前記棚板が横架されて形成されたことを特徴とする請求項１に記載の組立棚。
【請求項３】
上部棚と下部棚とを備えた組立棚であって、
前記下部棚の上に前記上部棚を積層して固定することにより一体の棚として使用可能に構成されると共に、前記下部棚と前記上部棚を分離することによりそれぞれそのまま独立の棚として使用可能に構成され、
前記上部棚と前記下部棚が分離され同一設置面上に設置された状態において、前記上部棚の天面と前記下部棚の天面が略同一高さとなることを特徴とする組立棚。
【請求項４】
前記上部棚と前記下部棚が分離され同一設置面上に設置された状態において、前記上部棚の棚板の高さと前記下部棚の棚板の高さが略同一となることを特徴とする請求項３に記載の組立棚。
【請求項５】
一対の側面フレームと、該一対の側面フレームの間に横架される複数の棚板と、を備え、
前記一対の側面フレームは、それぞれ上部側面フレームと下部側面フレームとを上下に着脱可能に接合して形成され、
前記上部棚は一対の前記上部側面フレームの間に前記棚板が横架されて形成されると共に、前記下部棚は一対の前記下部側面フレームの間に前記棚板が横架されて形成されたことを特徴とする請求項３または請求項４に記載の組立棚。
【請求項６】
前記上部側面フレームと前記下部側面フレームは、略平行に配設された一対の縦フレーム材と、該一対の縦フレーム材を所定間隔で接合する横フレーム材と、をそれぞれ有し、
前記上部側面フレームは、その下端側に配設された前記横フレーム材の下側面の所定位置に埋め込みナットが取り付けられ、
前記下部側面フレームは、その上端側に配設された前記横フレーム材の前記埋め込みナットに対応する位置に、上下に貫通するボルト孔が形成され、
前記上部側面フレームと前記下部側面フレームは、前記ボルト孔と前記埋め込みナットにボルトを螺合可能として、上下に接合可能に形成されたことを特徴とする請求項５に記載の組立棚。
【請求項７】
前記上部側面フレームと前記下部側面フレームには、それぞれ前記棚板の端部を取り付け可能な取付部が複数の高さ位置に設けられ、該取付部は、前記上部側面フレーム及び前記下部側面フレームのそれぞれの上端位置に配設されると共に、該上端位置から下端側に向かって略一定間隔で配設されたことにより、前記上部棚と前記下部棚に前記棚板を略同一高さに取付可能に形成されたことを特徴とする請求項１、請求項２、請求項５、請求項６のいずれか一項に記載の組立棚。
【考案の詳細な説明】
【技術分野】
【０００１】
本考案は、収納用に使用される組立棚に関し、特に、複数の棚に分割して使用することが可能な組立棚に関する。
【背景技術】
【０００２】
従来から、所定形状の棚ユニットを上下や左右に並べて接合し、必要に応じて全体のサイズを変えて使用する組立式の棚（ラック状家具）が提案されている（例えば、特許文献１参照）。
特許文献１では、最下段の棚となる基盤体の上に、この基盤体と同じ形状の棚空間を有する増設ユニットを重ねて接合して上段の棚とし、所望のサイズの棚を組み立てるようになっている。
【０００３】
基盤体は、縦フレームの下端にフランジ付きの埋め込みナットが埋め込まれており、このフランジ付き埋め込みナットにキャスターや足を取り付けることができるようになっている。また、基盤体の縦フレームの上端には、フランジなしの埋め込みナットが埋め込まれている。従って、縦フレームの上端は面一になっている。
これに対し、増設ユニットは、縦フレームの上下端にそれぞれフランジなしの埋め込みナットが埋め込まれており、縦フレームの上下端がそれぞれ面一になっている。そして、基盤体と増設ユニットは、いずれも縦フレーム上下端が上下の横フレームと面一になっている。このような構成により、基盤体の上に増設ユニットを積層すると、面一な面同士が当接してがたつかず、一体的に接合できるようになっている。
【０００４】
【特許文献１】特開２００３−６１７５９号公報（第５−７頁、図１―２、図５―６）
【考案の開示】
【考案が解決しようとする課題】
【０００５】
しかしながら、特許文献１の棚（ラック状家具）では、増設ユニットを基盤体から取り外して棚を解体したときに、そのまま増設ユニットと基盤体を別々の棚として使用することは想定されていなかった。また、増設ユニットと基盤体とを簡易かつ確実な接合方法で一体的に接合し、かつ、容易に着脱可能とすることは提案されていなかった。
また、上段の増設ユニットは、そのまま床置きすれば棚として使用することも可能ではあるが、基盤体と増設ユニットの棚空間の高さが同一なので、キャスターや足が接合されている基盤体と並べると、キャスターや足の分だけ天板および棚板（底板）の高さが異なってしまう。従って、並べて使用すると見た目の統一感に欠けると共に、使い勝手が悪いという問題点があった。
【０００６】
また、増設ユニットにキャスターや足を取り付ければその高さ分だけ段差は解消されるが、縦フレームの下端の埋め込みナットがフランジ付きとフランジなしで異なっているため、キャスターや足を取り付けたとしてもフランジの厚み分の段差ができてしまい、相変わらず段差ができて使い勝手が悪いという問題点があった。また、分割して使用するときのためにキャスターや足を保管しておかなければならないのでは使い勝手が悪いという問題点があった。
【０００７】
本考案は、上記問題点に鑑みてなされたものであって、その目的は、上下に２分割可能な組立棚であって、一体に組み立てた状態でも複数の棚に分割した状態でも使用することができ、しかも、簡易かつ確実な接合方法で分割したり一体に組み立てたりすることが可能な組立棚を提供することにある。
また、本考案の他の目的は、分割して使用する際に、接合部の接合を解除するだけでそのまま使用することができ、しかも、天板と棚板の高さが揃った状態で使用することができるようにすることにより、使い勝手が良く使用時の外観意匠性に優れた組立棚を提供することにある。
【課題を解決するための手段】
【０００８】
前記課題は、本考案の組立棚によれば、一対の側面フレームと、該一対の側面フレームの間に横架される複数の棚板と、を備えた組立棚であって、前記一対の側面フレームは、それぞれ上部側面フレームと下部側面フレームとを上下に着脱可能に接合して形成され、前記上部側面フレームと前記下部側面フレームは、略平行に配設された一対の縦フレーム材と、該一対の縦フレーム材を所定間隔で接合する横フレーム材と、をそれぞれ有し、前記上部側面フレームは、その下端側に配設された前記横フレーム材の下側面の所定位置に埋め込みナットが取り付けられ、前記下部側面フレームは、その上端側に配設された前記横フレーム材の前記埋め込みナットに対応する位置に、上下に貫通するボルト孔が形成され、前記上部側面フレームと前記下部側面フレームは、前記ボルト孔と前記埋め込みナットにボルトを螺合可能として、上下に接合可能に形成されたことにより解決される。
【０００９】
このように構成すると、従来のように４箇所の縦フレーム材で上部側面フレームと下部側面フレームを着脱するのに比して、横フレーム材同士を当接させてボルト締めにより接合することにより、上部側面フレームと下部側面フレームを容易に着脱することができると共に、容易に強固に結合することもでき、組立棚を上半分と下半分に分離したり接合したりする作業が容易となる。
また、埋め込みナットを使用することにより接合作業を容易にすると共に接合箇所を目立たなくすることができ、外観意匠性を向上させることができる。
【００１０】
また、本考案において、上部棚と下部棚とを備え、前記下部棚の上に前記上部棚を積層して固定することにより一体の棚として使用可能に構成されると共に、前記下部棚と前記上部棚を分離することによりそれぞれそのまま独立の棚として使用可能に構成され、前記上部棚は一対の前記上部側面フレームの間に前記棚板が横架されて形成されると共に、前記下部棚は一対の前記下部側面フレームの間に前記棚板が横架されて形成されるように構成することができる。
このように構成すると、組み立てて一体の棚として使用することができると共に、上部棚と下部棚に分割してそのまま使用することができ、組立棚の汎用性を向上させることができる。
【００１１】
前記課題は、本考案の組立棚によれば、上部棚と下部棚とを備えた組立棚であって、前記下部棚の上に前記上部棚を積層して固定することにより一体の棚として使用可能に構成されると共に、前記下部棚と前記上部棚を分離することによりそれぞれそのまま独立の棚として使用可能に構成され、前記上部棚と前記下部棚が分離され同一設置面上に設置された状態において、前記上部棚の天面と前記下部棚の天面が略同一高さとなることにより解決される。
【００１２】
このように、本考案の組立棚は、組み立てて一体の棚として使用することができると共に、上部棚と下部棚に分割してそのまま使用することができ、しかも、分割して使用する際に、上部棚と下部棚の天板の高さが揃った状態で使用することができる。よって、並べて使用した際に天面に段差ができないので使い勝手が良く、また、並べて使用した際に天面の高さが揃っているので見た目の統一感が得られ、外観意匠性が優れている。
【００１３】
また、本考案において、前記上部棚と前記下部棚が分離され同一設置面上に設置された状態において、前記上部棚の棚板の高さと前記下部棚の棚板の高さが略同一となるように構成されていると好適である。
このように構成すれば、分割して使用する際に、上部棚と下部棚の棚板の高さが揃った状態で使用することができる。よって、更に使い勝手が良くなると共に、更に見た目の統一感が向上され、外観意匠性の良好な組立棚となる。
【００１４】
また、本考案において、一対の側面フレームと、該一対の側面フレームの間に横架される複数の棚板と、を備え、前記一対の側面フレームは、それぞれ上部側面フレームと下部側面フレームとを上下に着脱可能に接合して形成され、前記上部棚は一対の前記上部側面フレームの間に前記棚板が横架されて形成されると共に、前記下部棚は一対の前記下部側面フレームの間に前記棚板が横架されて形成されていると好適である。
このように構成すれば、上部側面フレームと下部側面フレームの着脱によって上部棚と下部棚を容易に接合または分離することができる。
【００１５】
また、本考案において、前記上部側面フレームと前記下部側面フレームは、略平行に配設された一対の縦フレーム材と、該一対の縦フレーム材を所定間隔で接合する横フレーム材と、をそれぞれ有し、前記上部側面フレームは、その下端側に配設された前記横フレーム材の下側面の所定位置に埋め込みナットが取り付けられ、前記下部側面フレームは、その上端側に配設された前記横フレーム材の前記埋め込みナットに対応する位置に、上下に貫通するボルト孔が形成され、前記上部側面フレームと前記下部側面フレームは、前記ボルト孔と前記埋め込みナットにボルトを螺合可能として、上下に接合可能に形成されていると好適である。
このように構成すれば、横フレーム材同士をボルト締めにより強固に接合することができる。また、埋め込みナットを使用することにより接合作業を容易にすると共に接合箇所を目立たなくすることができ、外観意匠性を向上させることができる。
【００１６】
また、本考案において、前記上部側面フレームと前記下部側面フレームには、それぞれ前記棚板の端部を取り付け可能な取付部が複数の高さ位置に設けられ、該取付部は、前記上部側面フレーム及び前記下部側面フレームのそれぞれの上端位置に配設されると共に、該上端位置から下端側に向かって略一定間隔で配設されたことにより、前記上部棚と前記下部棚に前記棚板を略同一高さに取付可能に形成されていると好適である。
このように構成すれば、棚板の高さを調整することができると共に、調整後も上部棚と下部棚の棚板の高さを揃えることができるので、好適である。
【考案の効果】
【００１７】
本考案によれば、以下の効果を奏する。
○  本考案の組立棚は、その側面フレームを上部側面フレームと下部側面フレームとに上下に２分割することができ、これにより組み立てて一体の棚として使用することができると共に、上部棚と下部棚に分割してそのまま使用することができる。
○  本考案の組立棚は、従来のように４箇所の縦フレーム材で上部側面フレームと下部側面フレームを着脱するのに比して、横フレーム材同士を当接させてボルト締めにより接合することにより、上部側面フレームと下部側面フレームを容易に着脱することができると共に、容易に強固に結合することもでき、組立棚を上半分と下半分に分離したり接合したりする作業が容易となる。また、埋め込みナットを使用することにより接合作業を容易にすると共に接合箇所を目立たなくすることができ、外観意匠性を向上させることができる。
【００１８】
○  本考案の組立棚は、上部棚と下部棚に分割して使用する際に、上部棚と下部棚の天板や棚板の高さが揃った状態で使用することができる。よって、使い勝手が良く、また、並べて使用した際に天面や棚板の高さが揃っているので見た目の統一感が得られ、外観意匠性が良好である。
【考案を実施するための最良の形態】
【００１９】
以下、本考案の一実施形態について、図を参照して説明する。なお、以下に説明する部材、配置等は、本考案を限定するものではなく、本考案の趣旨に沿って各種改変することができることは勿論である。
図１〜図６は本考案の組立棚（ウッドラック）の一実施形態を示すものであり、図１はウッドラックを分割せずに使用している状態を示す斜視図、図２はウッドラックを上部ラックと下部ラックに上下２分割した状態を示す説明図、図３は上部ラックと下部ラックを並べて使用している状態を示す斜視図、図４は棚板、ハンガーバー、クロスバーの取付方法の説明図、図５は上部側面フレームと下部側面フレームの接合方法を示す説明図、図６は上部側面フレームと下部側面フレームの接合部の断面図（図１のＸ−Ｘ断面図）である。
また、図７〜図１０は改変例のウッドラックを示す斜視図である。
【００２０】
（ウッドラックの構成）
本考案の組立棚を、収納家具として使用されるウッドラックに適用した一実施形態について説明する。
このウッドラックＡは、上半分（上部ラックＡ１）と下半分（下部ラックＡ２）の２つに分割して使用することができるものであり、図１〜図３に示すように、所定間隔で配設された左右一対の略ロの字状の上部側面フレーム１と、この一対の上部側面フレーム１の下端にそれぞれ接合可能な一対の下部側面フレーム２と、これらの上部側面フレーム１間または下部側面フレーム２間に横架される棚板３およびハンガーバー４と、上部側面フレーム１間及び下部側面フレーム２間に取り付けられるブレース材としてのクロスバー５と、下部側面フレーム２の下端に取り付けられるキャスター６と、を主要構成要素とする。
【００２１】
ウッドラックＡの外形について説明すると、その高さ寸法（図１に示す符号２Ｈ）が例えば１８００ｍｍとされており、また、ウッドラックＡの間口方向の横幅（図１に示す符号Ｌ１）は８００ｍｍであり、奥行き（図１に示す符号Ｌ２）は４５０ｍｍである。なお、後述する改変例で示すように、本考案のウッドラックＡの外形寸法はこれらの値に限定されず、種々改変が可能である。
【００２２】
ウッドラックＡを組み立てて使用する際には、図１に示すように、上部側面フレーム１と下部側面フレーム２を上下に接合して縦長の組立フレームとし、この組立フレームを所定間隔離間させて配置して、その間に適宜棚板３やハンガーバー４を掛け渡すことにより、背の高い１体の組立棚を形成する。このように背の高い組立棚として使用することにより、高さ方向に物品を重ねて収納することができ、屋内スペースを有効に利用することができる。また、背の高い物品を収納できるようになる。
また、本例のウッドラックＡは、上下に２分割して使用することもできるように構成されている。すなわち、図２に示すように上部側面フレーム１と下部側面フレーム２の接合を解除するだけで上部ラックＡ１と下部ラックＡ２を分離することができ、上部ラックＡ１と下部ラックＡ２をそれぞれ独立の棚として使用することができる。なお、この上部ラックＡ１が本考案の上部棚に相当し、下部ラックＡ２が本考案の下部棚に相当する。
【００２３】
上部側面フレーム１、下部側面フレーム２、棚板３はいずれも木製とされており、本例では、パインウッド等の天然木を用いて形成されている。また、ハンガーバー４とクロスバー５は鋼製である。
なお、上部側面フレーム１、下部側面フレーム２、棚板３には、パインウッド以外の天然木を用いても良く、合板や集成材を用いてもよい。また、人工木、鋼やアルミなどの金属、樹脂、紙などの素材を用いてもよい。また、棚板３をガラス製やアクリル製としてもよく、ハンガーバー４を木製やアルミ製、あるいはこれら以外の素材としてもよい。
【００２４】
上部側面フレーム１は、略垂直な一対の縦フレーム材１ａと、この縦フレーム材１ａの上端部同士及び下端部同士をそれぞれ連結する一対の略水平な横フレーム材１ｂと、を略ロの字状に組み立てて形成されている。
また、下部側面フレーム２は、上部側面フレーム１と同様に、略垂直な一対の縦フレーム材２ａと、この縦フレーム材２ａの上端部同士及び下端部同士をそれぞれ連結する一対の略水平な横フレーム材２ｂと、を略ロの字状に組み立てて形成されている。
なお、本例では、上部側面フレーム１および下部側面フレーム２はいずれも縦勝ちのフレームとされているが、これらを横勝ちのフレームとしてもよい。
【００２５】
縦フレーム材１ａには、その長さ方向に沿って、棚板３を取り付けるための取付孔１ｃが略一定間隔で形成されている。また、縦フレーム材２ａにも同様に、その長さ方向に沿って、棚板３を取り付けるための取付孔２ｃが略一定間隔で形成されている。
取付孔１ｃ、２ｃは縦フレーム材１ａ、２ａをそれぞれ貫通するように形成されている。
棚板３を上部側面フレーム１（下部側面フレーム２）間に取り付けてその両端を支持させるには、図４に示すように、取付孔１ｃ（２ｃ）に挿通したビス等の締結部材を、棚板３の端面に螺入して固定する。これにより、棚板３は、その端面が縦フレーム材１ａ（２ａ）の上記取付孔１ｃ（２ｃ）が形成されている部分に当接した状態に固定される。
【００２６】
上部側面フレーム１は、図３等に示すように、縦フレーム材１ａの上端面と、縦フレーム材１ａの上端側に取り付けられた横フレーム材１ｂの上側面とが面一となるように形成されている。そして、縦フレーム材１ａの上端の取付孔１ｃに棚板３を固定すると、棚板３の上面が、縦フレーム材１ａの上端面及び横フレーム材１ｂの上側面と面一となるように取り付けられる。このように、縦フレーム材１ａの上端の取付孔１ｃに取り付けられた棚板３は上部ラックＡ１の天板となり、この棚板３の上面が、上部ラックＡ１の天面となる。
【００２７】
同様に、下部側面フレーム２においても、縦フレーム材２ａの上端面と、縦フレーム材２ａの上端側に取り付けられた横フレーム材２ｂの上側面とが面一となり、また、縦フレーム材２ａの上端の取付孔２ｃに固定された棚板３は、その上面が、縦フレーム材２ａの上端面及び横フレーム材２ｂの上側面と面一となっている。つまり、この棚板３が下部ラックＡ２の天板となり、この棚板３の上面が、下部ラックＡ２の天面となっている。
【００２８】
取付孔１ｃ（２ｃ）は、縦フレーム材１ａ（２ａ）の上端からそれぞれ一定の間隔（例えば、隣り合う取付孔１ｃ（２ｃ）の孔中心間隔が６ｃｍ）で形成されているので、棚板３の取り付け高さを一定のピッチ（例えば、６ｃｍ）で変更することができる。
【００２９】
本例では、図３に示すように、上部ラックＡ１と下部ラックＡ２が、それぞれ縦フレーム材１ａ、２ａの上端部に棚板３を取り付けた状態となっているが、上部ラックＡ１と下部ラックＡ２を上下に積層して一体に結合し、背の高いウッドラックＡとして使用するときは、下部ラックＡ２の天板となっている上端側の棚板３を、もっと下方（下部側面フレーム２の上下方向のほぼ中間位置）に固定し直している。
図２において、下部ラックＡ２の上部または中間部に棚板３を取り付ける際の取付位置を破線で示しており、上方の破線（符号３ａ）で示す取付位置が、図３で示すようにウッドラックＡを２分割して使用する状態での取付位置、中間部の点線（符号３ｂ）で示す取付位置が、図１で示すように２分割せずに使用する状態での取付位置である。
【００３０】
また、上部側面フレーム１では縦フレーム材１ａの下端面と縦フレーム材１ａの下端側に取り付けられた横フレーム材１ｂの下側面とが面一となっているのに対し、下部側面フレーム２では、縦フレーム材２ａの下端側に取り付けられた横フレーム材２ｂの下側面が、縦フレーム材２ａの下端面よりも上方に位置するように構成されている。そして、縦フレーム材２ａの下端面には、キャスター６がネジ等により固定されている。キャスター６には公知の家具用キャスターが用いられる。なお、キャスター６に代えて、長さの微調整が可能な家具用の足部材を用いてもよい。また、キャスター６や足部材を取り付けなくてもよい。
【００３１】
上部ラックＡ１には、その天板となるように取り付けられた棚板３のすぐ下方に、ハンガーバー４が取り付けられている。ハンガーバー４の両端は縦フレーム材１ａの間に略水平に取り付けられた中間フレーム材４ａに取り付けられている。その固定方法は、図４に示すように、中間フレーム材４ａの略中央に形成された取付孔４ｂに挿通したビス等の締結部材を、ハンガーバー４の端面に螺入して固定する。これにより、ハンガーバー４の端面が中間フレーム材４ａの側面に当接した状態に固定される。
また、下部ラックＡ２には、縦フレーム材２ａの最も下端の取付孔２ｃにもう一枚の棚板３が固定されており、この棚板３の上に物品を置くことができるようになっている。
【００３２】
クロスバー５は、上部ラックＡ１及び下部ラックＡ２の背面側に取り付けられている。上部ラックＡ１では、図４に示すように、クロスバー５が、対向する一対の上部側面フレーム１の背面側の側面（上部ラックＡ１の背面側の縦フレーム材１ａの側面）にクロスバー５の両端をビス等で固定することにより、取り付けられている。また、下部ラックＡ２でも同様の取付方法でクロスバー５が取り付けられている。なお、図４において、取付用のビスやボルト等の締結部材はわかりやすくするため拡大して描かれている。
【００３３】
このように、本例では、上部ラックＡ１は、対向する一対の上部側面フレーム１と、その間に取り付けられた１枚の棚板３及び１本のハンガーバー４と、上部ラックＡ１の背面側となる位置に取り付けられたクロスバー５と、により構成されている。また、下部ラックＡ２は、対向する一対の下部側面フレーム２と、その間に取り付けられた２枚の棚板３と、下部ラックＡ２の背面側となる位置に取り付けられたクロスバー５と、下部側面フレーム２の下端（縦フレーム材２ａの下端面）に取り付けられたキャスター６と、により構成されている。
【００３４】
なお、上部ラックＡ１および下部ラックＡ２には、所望の高さにさらに棚板３を取り付けてもよい。また、取付孔１ｃ、２ｃには棚板３の代わりにバスケット等の収納材を取り付けてもよく、また、下部ラックＡ２にもハンガーバー４を取り付けても良い。また、クロスバー５は補強用であるため、他の方法で上部ラックＡ１および下部ラックＡ２の剛性が確保できれば取り付けなくても良く、例えばクロスバー５に代えて補強用の横フレーム材を取り付けてもよい。
【００３５】
次に、上部ラックＡ１と下部ラックＡ２を上下に積層して接合する接合方法について、図５、図６に基づいて説明する。
上述したように、上部ラックＡ１の上部側面フレーム１の下端部分は縦フレーム材１ａの下端面と縦フレーム材１ａの下端側に取り付けられた横フレーム材１ｂの下側面とが面一となっている。また、下部ラックＡ２の下部側面フレーム２の上端部分は縦フレーム材２ａの上端面と縦フレーム材２ａの上端側に取り付けられた横フレーム材２ｂの上側面とが面一となっている。すなわち、本例では、上部側面フレーム１の下端面と、下部側面フレーム２の上端面がいずれも面一となっており、上部側面フレーム１と下部側面フレーム２は、これらの面を当接させた状態に接合される。
【００３６】
図５に接合部分（図２の破線Ｙで囲んだ部分）を拡大して示す。この図に示すように、上部側面フレーム１の下端部分の横フレーム材１ｂには、その下方向きとなっている側面に、埋め込みナット７が２箇所埋め込まれている。また、下部側面フレーム２の上端部分の横フレーム材２ｂには、埋め込みナット７に対応する位置に、横フレーム材２ｂを上下に貫通する接合孔９が形成されている。なお、この接合孔９が本考案のボルト孔に相当する。
【００３７】
このような構成により、上部側面フレーム１と下部側面フレーム２を接合して上部ラックＡ１と下部ラックＡ２を積層固定する際には、埋め込みナット７に接合孔９を位置合わせして下方から連結ボルト８を挿入し、連結ボルト８を接合孔９に挿通してその先端を埋め込みナット７に螺入して締め上げ固定する。また、上部側面フレーム１と下部側面フレーム２の接合を解除して上部ラックＡ１と下部ラックＡ２を上下２分割する際には、連結ボルト８を締め上げ方向とは逆方向に回動させて埋め込みナット７から外し、接合孔９から抜き取って取り外す。
【００３８】
図６は接合部分を縦に切断した断面図（図１のＸ−Ｘ断面図）であり、上部側面フレーム１と下部側面フレーム２が接合完了している状態を示す。この図に示すように、本例では埋め込みナット７としていわゆる鬼目ナットを用いており、埋め込みナット７の外周面に突起が形成されている。本例の上部側面フレーム１と下部側面フレーム２は木製とされているので、このような突起を有する鬼目ナットを埋め込んで固定することができる。
【００３９】
本例では、以上のような構成により、横フレーム材１ｂと横フレーム材２ｂを当接させてボルト締めにより強固に接合することができる。また、ボルト締めによる接合であるので、上部側面フレーム１と下部側面フレーム２の着脱すなわち上部ラックＡ１と下部ラックＡ２の着脱が可能となる。このようにすると、従来のように縦フレーム材１ａと縦フレーム材２ａを着脱可能に接合するのに比して、接合が容易であり、また接合部材が外部から見えにくいので、外観意匠性が向上される。
また、埋め込みナット７を使用することにより接合作業を容易にすると共に、接合後は連結ボルト８の頭部が横フレーム材２ｂの下方に突出しているだけであるので接合箇所を目立たなくすることができ、外観意匠性を向上させることができる。また、接合孔９をその内部に連結ボルト８の頭部が隠れるように形成すれば、上方及び側方からは全く接合部が見えないようにすることができ、より外観意匠性を向上させることができる。
【００４０】
また、本例では、以上のような構成により、上部ラックＡ１と下部ラックＡ２を組み立てて一体のウッドラックＡとして使用することができると共に、上部ラックＡ１と下部ラックＡ２に上下２分割して、それぞれそのまま独立に使用することができる。よって、用途に合わせて背の高い棚または背の低い棚としての２通りの使用方法で使用することができるので、汎用性があり、好適である。
【００４１】
そしてさらに、本例では、上部ラックＡ１と下部ラックＡ２を独立に使用したときに、その天面の高さが略同一となるように寸法設定されている。すなわち、図２、図３に示すように、上部ラックＡ１と下部ラックＡ２は、いずれもその下端から上端までの高さ寸法がＨとなっており、同一である。具体的には、高さ寸法Ｈは９００ｍｍとされている。
このような構成により、本例のウッドラックＡは、上部ラックＡ１と下部ラックＡ２に上下２分割して使用する際に、上部ラックＡ１と下部ラックＡ２の天板（上端に取り付けられた棚板３）の高さが揃った状態で使用することができる。よって、並べて使用した際に天面に段差ができないので使い勝手が良く、また、並べて使用した際に天面の高さが揃っているので見た目の統一感が得られ、外観意匠性が優れている。
【００４２】
また、本例では、縦フレーム材１ａ、２ａに形成された取付孔１ｃ、２ｃが略一定間隔（例えば６ｃｍ間隔）で形成されている。そして、縦フレーム材１ａ、２ａの上端に形成された取付孔１ｃ、２ｃに取り付けられた棚板３（天板）の高さが略同一であるから、最も上の位置に形成された取付孔１ｃと取付孔２ｃが略同一高さとなっている。
このように、一定間隔で取付孔１ｃ、２ｃを複数形成したことにより、上部ラックＡ１と下部ラックＡ２の中間部に棚板３やハンガーバー４を取り付けることができると共に、その高さ位置を一定のピッチで調節して好みの高さにすることができる。
【００４３】
また、最上端の取付孔１ｃ、２ｃだけでなくその下方の取付孔１ｃ、２ｃの高さも上部ラックＡ１と下部ラックＡ２で揃っている。従って、上部ラックＡ１と下部ラックＡ２の中間部にさらに棚板３やハンガーバー４を取り付ける場合に、これらの取付高さを上部ラックＡ１と下部ラックＡ２で揃えることができる。よって、本例では、上部ラックＡ１と下部ラックＡ２の棚板３やハンガーバー４の高さが揃った状態で使用することができる。よって、更に使い勝手が良くなると共に、更に見た目の統一感が向上され、外観意匠性が良好となる。
【００４４】
（改変例）
上記実施形態のウッドラックＡは外形高さ寸法が１８００ｍｍ、横幅が８００ｍｍ、奥行きが４５０ｍｍとされており、上部ラックＡ１と下部ラックＡ２の外形高さは９００ｍｍとされていたが、これらの寸法は種々改変が可能である。
【００４５】
図７に示す改変例のウッドラックＢは、上部ラックＢ１と下部ラックＢ２の外形高さ寸法（Ｈ１）を６００ｍｍ、外形高さ寸法（Ｈ１＋Ｈ１）を１２００ｍｍ、横幅（Ｌ３）を６００ｍｍ、奥行き（Ｌ４）を４５０ｍｍとしたものである。このウッドラックＢでは、上部ラックＢ１に棚板３が２枚、下部ラックＢ２に棚板３が２枚取り付けられている。
【００４６】
また、図８に示す改変例のウッドラックＣは、上部ラックＣ１と下部ラックＣ２の外形高さ寸法（Ｈ２）を７５０ｍｍ、外形高さ寸法（Ｈ２＋Ｈ２）を１５００ｍｍ、横幅（Ｌ５）を６００ｍｍ、奥行き（Ｌ６）を４５０ｍｍとしたものである。このウッドラックＣでは、上部ラックＣ１に棚板３が３枚、下部ラックＣ２に棚板３が２枚取り付けられている。
【００４７】
また、図９に示す改変例のウッドラックＤは、上部ラックＤ１と下部ラックＤ２の外形高さ寸法（Ｈ３）を９００ｍｍ、外形高さ寸法（Ｈ３＋Ｈ３）を１８００ｍｍ、横幅（Ｌ７）を６００ｍｍ、奥行き（Ｌ８）を４００ｍｍとしたものである。このウッドラックＤでは、上部ラックＤ１に棚板３が２枚、下部ラックＤ２に棚板３が３枚取り付けられている。
【００４８】
また、図１０に示す改変例のウッドラックＥは、上部ラックＥ１と下部ラックＥ２の外形高さ寸法（Ｈ４）を９００ｍｍ、外形高さ寸法（Ｈ４＋Ｈ４）を１８００ｍｍ、横幅（Ｌ
９）を８００ｍｍ、奥行き（Ｌ１０）を４５０ｍｍとしたものである。このウッドラックＥでは、上部ラックＥ１に棚板３が１枚とハンガーバー４が１本、下部ラックＥ２に棚板３が２枚取り付けられている。
【００４９】
図７〜図１０の改変例は、いずれも上記実施例と同様に、組み立てて一体の棚として使用できると共に、上下２分割してそれぞれそのまま独立の棚として使用することができる。よって、用途に合わせて背の高い棚または背の低い棚としての２通りの使用方法で使用することができるので、汎用性があり、好適である。
また、図７〜図１０の改変例は、いずれも上下２分割して使用する際に、２つの棚の天面の高さが略同一となるように寸法設定されている。また、棚板の高さを揃えることができるのも上記実施例と同様である。従って、並べて使用した際に天面に段差ができないので使い勝手が良く、また、並べて使用した際に天面の高さが揃っているので見た目の統一感が得られ、外観意匠性が優れている。
【００５０】
上記実施例のウッドラックＡは、上下２分割可能であったが、上下３分割可能とし、これら３つの分割棚を並べて使用したときに、全ての分割棚の天面の高さが略同一となるように構成してもよい。また、分割数を４以上として同様に構成してもよい。
本考案の組立棚は、上記実施例のような家庭用の収納家具として用いるほか、倉庫等で用いられるストック装置や業務用の収納棚に適用してもよい。
【図面の簡単な説明】
【００５１】
【図１】本実施形態のウッドラックを分割せずに使用している状態を示す斜視図である。
【図２】本実施形態のウッドラックを上部ラックと下部ラックに上下２分割した状態を示す説明図である。
【図３】上部ラックと下部ラックを並べて使用している状態を示す斜視図である。
【図４】棚板、ハンガーバー、クロスバーの取付方法の説明図である。
【図５】上部側面フレームと下部側面フレームの接合方法を示す説明図である。
【図６】上部側面フレームと下部側面フレームの接合部の断面図（図１のＸ−Ｘ断面図）である。
【図７】改変例のウッドラックを示す斜視図である。
【図８】改変例のウッドラックを示す斜視図である。
【図９】改変例のウッドラックを示す斜視図である。
【図１０】改変例のウッドラックを示す斜視図である。
【符号の説明】
【００５２】
Ａ‥‥ウッドラック
Ａ１‥上部ラック
Ａ２‥下部ラック
１‥‥上部側面フレーム
１ａ‥縦フレーム材
１ｂ‥横フレーム材
１ｃ‥取付孔
２‥‥下部側面フレーム
２ａ‥縦フレーム材
２ｂ‥横フレーム材
２ｃ‥取付孔
３‥‥棚板（天板）
３ａ、３ｂ‥取付位置
４‥‥ハンガーバー
４ａ‥中間フレーム材
４ｂ‥取付孔
５‥‥クロスバー
６‥‥キャスター
７‥‥埋め込みナット
８‥‥連結ボルト
９‥‥接合孔
Ｂ，Ｃ，Ｄ，Ｅ‥‥‥‥‥ウッドラック
Ｂ１，Ｃ１，Ｄ１，Ｅ１‥上部ラック
Ｂ２，Ｃ２，Ｄ２，Ｅ２‥下部ラック
【図１】
0003128281.tif 000003
【図２】
0003128281.tif 000004
【図３】
0003128281.tif 000005
【図４】
0003128281.tif 000006
【図５】
0003128281.tif 000007
【図６】
0003128281.tif 000008
【図７】
0003128281.tif 000009
【図８】
0003128281.tif 000010
【図９】
0003128281.tif 000011
【図１０】
0003128281.tif 000012
【手続補正書】
【提出日】平成18年10月26日(2006.10.26)
【手続補正１】
【補正対象書類名】実用新案登録請求の範囲
【補正対象項目名】全文
【補正方法】変更
【補正の内容】
【実用新案登録請求の範囲】
【請求項１】
一対の側面フレームと、該一対の側面フレームの間に横架される複数の棚板と、を備えた組立棚であって、
前記一対の側面フレームは、それぞれ上部側面フレームと下部側面フレームとを上下に着脱可能に接合して形成され、
前記上部側面フレームと前記下部側面フレームは、略平行に配設された一対の縦フレーム材と、該一対の縦フレーム材を所定間隔で接合する横フレーム材と、をそれぞれ有し、
前記上部側面フレームは、その下端側に配設された前記横フレーム材の下側面の所定位置に埋め込みナットが取り付けられ、
前記下部側面フレームは、その上端側に配設された前記横フレーム材の前記埋め込みナットに対応する位置に、上下に貫通するボルト孔が形成され、
前記上部側面フレームと前記下部側面フレームは、前記ボルト孔と前記埋め込みナットにボルトを螺合可能として、上下に接合可能に形成されたことを特徴とする組立棚。
【請求項２】
上部棚と下部棚とを備え、
前記下部棚の上に前記上部棚を積層して固定することにより一体の棚として使用可能に構成されると共に、前記下部棚と前記上部棚を分離することによりそれぞれそのまま独立の棚として使用可能に構成され、
前記上部棚は一対の前記上部側面フレームの間に前記棚板が横架されて形成されると共に、前記下部棚は一対の前記下部側面フレームの間に前記棚板が横架されて形成されたことを特徴とする請求項１に記載の組立棚。
【請求項３】
前記上部棚と前記下部棚が分離され同一設置面上に設置された状態において、前記上部棚の天面と前記下部棚の天面が略同一高さとなることを特徴とする請求項２に記載の組立棚。
【請求項４】
前記上部棚と前記下部棚が分離され同一設置面上に設置された状態において、前記上部棚の棚板の高さと前記下部棚の棚板の高さが略同一となることを特徴とする請求項２又は請求項３に記載の組立棚。
【請求項５】
前記上部側面フレームと前記下部側面フレームには、それぞれ前記棚板の端部を取り付け可能な取付部が複数の高さ位置に設けられ、該取付部は、前記上部側面フレーム及び前記下部側面フレームのそれぞれの上端位置に配設されると共に、該上端位置から下端側に向かって略一定間隔で配設されたことにより、前記上部棚と前記下部棚に前記棚板を略同一高さに取付可能に形成されたことを特徴とする請求項１又は請求項２に記載の組立棚。
【手続補正２】
【補正対象書類名】明細書
【補正対象項目名】００１１
【補正方法】変更
【補正の内容】
【００１１】
また、本考案において、前記上部棚と前記下部棚が分離され同一設置面上に設置された状態において、前記上部棚の天面と前記下部棚の天面が略同一高さとなるように構成すると好適である。
【手続補正３】
【補正対象書類名】明細書
【補正対象項目名】００１２
【補正方法】変更
【補正の内容】
【００１２】
このようにすると、分割して使用する際に、上部棚と下部棚の天板の高さが揃った状態で使用することができる。よって、並べて使用した際に天面に段差ができないので使い勝手が良く、また、並べて使用した際に天面の高さが揃っているので見た目の統一感が得られ、外観意匠性が優れている。
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】削除
【補正の内容】